(57)【要約】【課題】機内ミスト蓄積低減と、使用する用紙幅が変わったときの用紙インク汚れを低減するインクジェット記録装置の提供。【解決手段】搬送系にミスト吸着転写ローラを設け、ローラは、最小幅用紙の通過範囲内にて設けることを特徴とするインクジェット記録装置。【選択図】図１
2007098834.tif 000002
【特許請求の範囲】
【請求項１】
インクを吐出して画像を記録する記録手段を用いて被記録材に画像形成をおこなうインクジェット記録装置であって、被記録材の搬送経路にて、記録装置で使用する被記録材の最小幅範囲より小さい幅範囲で被記録材に接触可能なミスト吸着転写手段を備えたことを特徴とするインクジェット記録装置。
【請求項２】
前記ミスト吸着転写手段は、被記録材搬送系ローラであることを特徴とする請求項１記載のインクジェット記録装置。
【請求項３】
前記ミスト吸着転写手段は、表面に親水処理を施したローラであることを特徴とする請求項１または請求項２に記載のインクジェット記録装置。
【請求項４】
前記ミスト吸着転写手段は、帯電性のローラであることを特徴とする請求項１または請求項２に記載のインクジェット記録装置。
【発明の詳細な説明】
【技術分野】
【０００１】
本発明は、被記録材上にインクを吐出して画像を記録するインクジェット記録装置に関し、詳しくは、インクミスト処理技術に関する。
【背景技術】
【０００２】
インクジェット記録装置においては、原理上、措置内部にインクミストが発生する。インクミストが装置内部の特定の部位に多量に蓄積すると、種々の不具合が生じる恐れがある。記録ノズルの目詰まりによる画質低下や、搬送系ヘのインクミスト蓄積による用紙のインク汚れなどが生じる可能性がある。
【０００３】
インクミストの処理に関しては、従来、装置内部に気流を発生させるファンおよび気流にのったインクミストを捕捉するインクミスト捕捉フィルタを有するものがある。
【０００４】
また、プラテンを清掃するシステムなども提案されている。
【特許文献１】特開平１１−１３８７７７号公報
【特許文献２】特開平６−１６６１７３号公報
【特許文献３】特開平７−６８７９２号公報
【発明の開示】
【発明が解決しようとする課題】
【０００５】
ファンおよびインクミスト捕捉フィルタを用いても、装置内部に浮遊するインクミストを十分に処理することは難しく、インクミストの装置内各部への蓄積は十分には防げていないのが現状である。蓄積したインクミストの清掃機構を設ける提案もなされている。いずれも部品点数やスペースの増大などのデメリットが大きい。簡便な構成にてインクミストの蓄積を低減することが課題である。
【０００６】
用紙の搬送系に限っても、インクミスト対策が必要である。種々のサイズの用紙を使用する場合は、用紙にインク汚れが発生する可能性がある。幅の小さい用紙を使用した後に幅の大きい用紙を使用するとインク汚れが発生する可能性がある。幅の小さい用紙を使用し続けると、用紙幅の外側の領域すなわち用紙が通過しない領域にはインクミストが蓄積しやすい。その後に幅の大きい用紙を使用すると、用紙に目立ったインク汚れが発生することがある。用紙幅によらずインクミストの悪影響を低減することが課題である。
【０００７】
本発明は、以上の点に着目して成されたもので、機内ミスト蓄積低減と、使用する用紙幅が変わったときの用紙インク汚れを低減するインクジェット記録装置を提供することを目的とする。
【課題を解決するための手段】
【０００８】
前記課題を解決するために、本発明は、第一に、インクを吐出して画像を記録する記録手段を用いて被記録材に画像形成をおこなうインクジェット記録装置であって、被記録材の搬送経路にて、記録装置で使用する被記録材の最小幅範囲より小さい幅範囲で被記録材に接触可能なミスト吸着転写手段を備えるものである。インクミストが蓄積する前に、インクミストを印刷毎にごくわずかづつ被記録材に転写して装置外へ搬出し、インクミストの装置内蓄積を低減するものである。また、使用する被記録材の幅が変わった場合の被記録材のインク汚れを低減するものである。
【０００９】
第二に、前記ミスト吸着転写手段を、被記録材搬送系ローラとするものである。簡便な構成にてインクミストの吸着および被記録材への転写が行えるものである。
【００１０】
第三に、前記ミスト吸着転写手段を、表面に親水処理を施したローラとするものである。インクミストの吸着および被記録材への転写が効率よく行えるものである。
【００１１】
第四に、前記ミスト吸着転写手段を、帯電性のローラとするものである。インクミストの吸着および被記録材への転写が効率よく行えるものである。
【発明の効果】
【００１２】
本発明によれば、簡便な構成にて、装置内のインクミスト蓄積を低減することができる。インクミストの装置内蓄積に起因する記録品質の劣化等を低減するものである。また、幅寸法の異なる被記録材を使用した場合の被記録材のインク汚れを低減することができる。
【発明を実施するための最良の形態】
【００１３】
以下、本発明の実施の形態について図面を参照して説明する。
【実施例】
【００１４】
図１は、本発明を実施したインクジェット記録装置の外観概略構成を示す外観斜視図である。
【００１５】
１は装置筐体であり、内部に記録エンジン、電気回路基盤等を有している。装置筐体１には着脱可能な給紙カセット２が装着されている。給紙カセット２には、図示しない用紙幅ガイドにより記録用紙の幅方向位置が規制された記録用紙が収容されている。
【００１６】
図２は、実施例の記録エンジンの主要構成を示す斜視図である。
【００１７】
図２において、１７は、ヘッドガイドシャフト１６にガイドされて、図示しない駆動系より記録主走査方向に往復移動する記録ヘッドである。記録ヘッド１７の下方には図示しないヘッド保護キャップ等があり、図示しないポンプ系との協働により、記録ヘッドのメンテナンスがおこなわれる。１５は使用する種々の記録用紙を表している。記録用紙１５は給紙カセット２の内部で幅方向の位置が規制されており、一辺Ｂに片側突き当てされている。記録用紙１５は給紙ローラ２１によって矢印Ａ方向の記録副走査方向にピックアップされる。
【００１８】
第１搬送ローラ６は、図示しない駆動系により駆動される第１搬送ローラ軸５と一体回転する。第１ピンチローラ８は、第１搬送ローラ６に対する従動ローラであり、回転自在の第１ピンチローラ軸７と一体回転する。第２搬送ローラ１０は、図示しない駆動系により駆動される第２搬送ローラ軸９と一体回転する。第２ピンチローラ１２は、第２搬送ローラ１０に対する従動ローラであり、回転自在の第２ピンチローラ軸１１と一体回転する。給紙ローラ２１によってピックアップされた記録用紙１５は、第１搬送ローラ６と第１ピンチローラ８に狭持されて記録副走査方向に搬送され、さらに第２搬送ローラ１０と第２ピンチローラ１２に狭持されて記録副走査方向に搬送される。
【００１９】
図３は、搬送系の構成を示す斜視図である。
【００２０】
記録用紙が搬送されていない状態では、第１ギャップリング１３は第１搬送ローラ軸５に、第２ギャップリングは第２搬送ローラ軸９に当接している。記録用紙がない状態でニップ隙間が０．１ｍｍ程度になるように構成されている。最小幅記録用紙３および最大幅記録用紙４は、幅方向位置が一辺Ｂ基準にてＡ方向に給紙される。１９は搬送経路を成すプラテンである。プラテン１９には記録ヘッドの記録ノズル対抗面に切欠きがあり、縁なし印刷時のはみ出しインクを吸収するための、はみ出しインク吸収体２０が埋め込まれている。
【００２１】
第１ピンチローラ８および第２ピンチローラ１２は、本発明にかかるミスト吸着転写手段である。以下の説明では両者をあわせてピンチローラという。ピンチローラのインクミスト吸着効果を多少なりとも高めるために、ピンチローラの表面には親水処理を施す、あるいは帯電性のピンチローラを用いることが望ましい。親水処理としては、たとえば、既知のケイ素化合物系コーテイングを施す。帯電性ピンチローラの場合は、絶縁性のウレタン系ゴムなどを用いて、通紙摩擦による自然帯電によって、インクミスト吸着性を増進するものである。
【００２２】
図４は搬送系の平面図である。
【００２３】
第１ピンチローラ８の範囲Ｄおよび第２ピンチローラ１２の範囲Ｅは、最小幅記録用紙３の幅寸法Ｃよりも小さく設定されている。
【００２４】
以上の構成により、記録時に発生するインクミストの一部は、ピンチローラに吸着され、搬送中の記録用紙に転写される。印刷毎に記録用紙に転写されるインクミスト量はごくわずかであり、記録品質にはほとんど影響なくして、装置内インクミストの蓄積を低減できる。また、ピンチローラに付着したインクミストは印刷毎に確実に記録用紙に転写される。ピンチローラへのインクミストの蓄積は生じず、使用する記録用紙の幅が変わっても、記録用紙に目立ったインク汚れは発生しにくい。
【図面の簡単な説明】
【００２５】
【図１】実施例の外観斜視図
【図２】実施例の記録エンジン主要構成を示す斜視図
【図３】実施例の搬送系の構成を示す斜視図
【図４】実施例の搬送系の平面図
【符号の説明】
【００２６】
１    装置筐体
２    給紙カセット
３    最小幅記録用紙
４    最大幅記録用紙
５    第１搬送ローラ軸
６    第１搬送ローラ
７    第１ピンチローラ軸
８    第１ピンチローラ
９    第２搬送ローラ軸
１０  第２搬送ローラ
１１  第２ピンチローラ軸
１２  第２ピンチローラ
１３  第１ギャップリング
１４  第２ギャップリング
１５  記録用紙
１６  ヘッドガイドシャフト
１７  記録ヘッド
１８  メインシャーシ
１９  プラテン
２０  はみ出しインク吸収体
２１  給紙ローラ
【図１】
2007098834.tif 000003
【図２】
2007098834.tif 000004
【図３】
2007098834.tif 000005
【図４】
2007098834.tif 000006